(57)【要約】【課題】本体ケース側に開口を形成することなく操作ボタンを押し出し方向へ付勢可能で、防水性の高いインターホン機器を提供する。【解決手段】操作ボタン１５の後面に、本体ケース７に接触して操作ボタン１５を反押し込み方向へ付勢する弾性片２５、２５を設けた。また、本体ケース７の前面における操作ボタン１５の後方位置で、且つ、後方に電子基板が存在しない位置に排水孔３１、３１を開設するとともに、当該排水孔３１に連続して本体ケース７の後面まで貫通する筒状の排水路を形成した。【選択図】図３
2010177804.tif 000002
【特許請求の範囲】
【請求項１】
内部に電子基板を収納した本体ケースの前面に、後方へ押し込み操作可能な操作ボタンが取り付けられてなるインターホン機器であって、
前記操作ボタンの後面に、前記本体ケースに接触して前記操作ボタンを反押し込み方向へ付勢する弾性部を設ける一方、
前記本体ケースの前面における前記操作ボタンの後方位置で、且つ、後方に前記電子基板が存在しない位置に排水孔を開設するとともに、当該排水孔に連続して前記本体ケースの後面まで貫通する排水路を形成し、前記本体ケースの前面と前記操作ボタンとの間に浸入してきた水滴を、前記排水孔及び前記排水路を介して、前記本体ケースの後方へ排出可能としたことを特徴とするインターホン機器。
【請求項２】
前記排水路を筒状体とし、前記排水路内の空間と前記本体ケース内の前記電子基板が収納されている空間とを隔離したことを特徴とする請求項１に記載のインターホン機器。
【請求項３】
前記操作ボタンの後面に、矢尻状の係止片を後方へ突設する一方、前記排水孔の開口縁に前記係止片が係止する係止部を設け、
前記付勢により前記係止片が前記係止部へ係止し、前記操作ボタンの前記本体ケースからの脱落が防止されることを特徴とする請求項１又は２に記載のインターホン機器。
【発明の詳細な説明】
【技術分野】
【０００１】
本発明は、玄関に設置されるインターホン子機等の押し込み操作可能な操作ボタンを有するインターホン機器に関するものである。
【背景技術】
【０００２】
従来、本体ケースに押し込み操作可能な操作ボタンを設けてなるインターホン機器としては、たとえば特許文献１に開示されているようなインターホン機器が一般的に知られている。
この周知のインターホン機器においては、操作ボタンを本体ケース外方へ押し出すとともに押し出し位置にて保持するための弾性片を、本体ケースにコ字状のスリットを形成する又は本体ケースに切り起こし部を設ける等して、本体ケースに一体成形していた。
【先行技術文献】
【特許文献】
【０００３】
【特許文献１】特開２００５−４５７０４号公報
【発明の概要】
【発明が解決しようとする課題】
【０００４】
しかしながら、上記従来のインターホン機器では、弾性片を設けるにあたり、本体ケースにスリットや切り起こし等の開口が形成されるため、当該開口を介して雨水等が本体ケース内へ浸入し、制御基板等の各種基板に悪影響を及ぼすおそれがあった。
【０００５】
そこで、本発明は、上記課題に鑑みなされたものであって、本体ケース側に開口を形成することなく操作ボタンを押し出し方向へ付勢可能で、防水性の高いインターホン機器を提供しようとするものである。
【課題を解決するための手段】
【０００６】
上記目的を達成するために、本発明のうち請求項１に記載の発明は、内部に電子基板を収納した本体ケースの前面に、後方へ押し込み操作可能な操作ボタンが取り付けられてなるインターホン機器であって、操作ボタンの後面に、本体ケースに接触して操作ボタンを反押し込み方向へ付勢する弾性部を設ける一方、本体ケースの前面における操作ボタンの後方位置で、且つ、後方に電子基板が存在しない位置に排水孔を開設するとともに、当該排水孔に連続して本体ケースの後面まで貫通する排水路を形成し、本体ケースの前面と操作ボタンとの間に浸入してきた水滴を、排水孔及び排水路を介して、本体ケースの後方へ排出可能としたことを特徴とする。
この構成によれば、操作ボタンの後面に、本体ケースに接触して操作ボタンを反押し込み方向へ付勢する弾性部を設けているため、たとえば弾性部を切り起こし成形するにあたり生じる開口等が本体ケース側には形成されない。したがって、従来よりも本体ケースに開設される開口の数や面積を低減することができるため、本体ケース内への水の浸入経路が少なくなり、ひいてはインターホン機器の防水性を向上することができる。また、本体ケースの前面における操作ボタンの後方位置で、且つ、後方に電子基板が存在しない位置に排水孔を開設するとともに、当該排水孔に連続して本体ケースの後面まで貫通する排水路を形成している。したがって、たとえ本体ケースの前面と操作ボタンとの間に水滴が浸入してきたとしても、排水孔及び排水路を介して本体ケースの後方へ排出することができ、すなわち水滴が本体ケース内の電子基板に干渉してしまう事態を防止することができ、防水性の更なる向上を図ることができる。
【０００７】
請求項２に記載の発明は、請求項１に記載の発明において、排水路を筒状体とし、排水路内の空間と本体ケース内の電子基板が収納されている空間とを隔離したことを特徴とする。
この構成によれば、排水路を筒状体とし、排水路内の空間と本体ケース内の電子基板が収納されている空間とを隔離しているため、防水性の一層の向上を図ることができる。
【０００８】
請求項３に記載の発明は、請求項１又は２に記載の発明において、操作ボタンの後面に、矢尻状の係止片を後方へ突設する一方、排水孔の開口縁に係止片が係止する係止部を設け、付勢により係止片が係止部へ係止し、操作ボタンの本体ケースからの脱落が防止されることを特徴とする。
この構成によれば、呼出ボタンの脱落を防止するための係止部を排水孔の開口縁に設けているため、構成の合理化を図ることができ、本体ケースの前面の限られたスペースを効率良く使用することができる。
【発明の効果】
【０００９】
本発明によれば、操作ボタンの後面に、本体ケースに接触して操作ボタンを反押し込み方向へ付勢する弾性部を設けているため、従来よりも本体ケースに開設される開口の数や面積を低減することができ、インターホン機器の防水性を向上することができる。また、本体ケースの前面における操作ボタンの後方位置で、且つ、後方に電子基板が存在しない位置に排水孔を開設するとともに、当該排水孔に連続して本体ケースの後面まで貫通する排水路を形成することにより、たとえ本体ケースの前面と操作ボタンとの間に水滴が浸入してきたとしても、排水孔及び排水路を介して本体ケースの後方へ排出することを可能とした。
【図面の簡単な説明】
【００１０】
【図１】インターホン子機の外観を前方から示した斜視説明図である。
【図２】インターホン子機を後方から示した斜視説明図である。
【図３】呼出ボタンが取り外された状態を示したインターホン子機の斜視説明図である。
【図４】呼出ボタンの後面側を示した斜視説明図である。
【図５】インターホン子機における呼出ボタン部分の上下方向断面を示した説明図である。
【図６】インターホン子機における呼出ボタン部分の左右方向断面を示した説明図である。
【発明を実施するための形態】
【００１１】
以下、本発明の一実施形態となるインターホン子機について、図面にもとづき詳細に説明する。
【００１２】
インターホン子機１は、玄関等に設置され、居室内等に設置される図示しないインターホン親機を呼び出すとともに、インターホン親機と通話可能に接続されるものであって、図示しない取付台に取り付けられる後ケース３と、当該後ケース３にその前面を覆うように組み付けられる前ケース５とからなる本体ケース７を有している。そして、本体ケース７の前面（前ケース５）には、通話のためのマイク部９やスピーカ部１１、インターホン親機を呼び出した来訪者等を撮像するためのカメラ部１３等が設けられているとともに、インターホン親機を呼び出すための呼出ボタン１５が押し込み操作可能に設けられている。
【００１３】
ここで、本発明の要部となる呼出ボタン１５、及びその取付構造について説明する。
本体ケース７の前面下部には、呼出ボタン１５を取り付けるための取付凹部１７が設けられており、取付凹部１７内の上部には、呼出ボタン１５を軸支するための軸受部１９、１９が設けられている。また、取付凹部１７内の略中央には、本体ケース７内部で取付凹部１７の後方となる位置に収納されるスイッチ（図示せず）を露出させるための操作窓２１が開設されている。さらに、当該操作窓２１の上縁及び左右側縁に沿って、防水リブ２３が前方へ立設されており、操作窓２１を介しての水の浸入を防止可能としている。この防水リブ２３は、上方へ突出する湾曲状に形成された湾曲部を備えており、水滴が防水リブ２３上面（すなわち操作窓２１上方）に溜まりにくくなるように、出来るだけ左右へ流下させるようにしている。さらにまた、操作窓２１の左右両側には、後述する呼出ボタン１５の弾性片２５、２５の一部を収容する収容凹部２７、２７が設けられている。尚、２８は、弾性片２５の一部が当接する支持リブであり、収容凹部２７内の下部に設けられている。
【００１４】
加えて、取付凹部１７の左右両側の下部で、後方にスイッチ基板や制御基板等の電子基板が存在しない隅部には、呼出ボタン１５を保持するための係止部２９（図６に示す）を備えた排水孔３１、３１が、各収容凹部２７の左右外側に隣接して開設されている。当該排水孔３１、３１は、前ケース５の後面に設けられている筒状の排水路３３、３３の前側開口となっている。また、後ケース３には、前ケース５の組み付け時に排水路３３が貫通する貫通孔３５が開設されており、排水孔３１を介して排水路３３内へ導かれた水滴は、本体ケース７の内部空間（各種基板等が設置されている空間）を通過することなく、排水路３３の後端から後ケース３の後方（本体ケース７の外方）へ排出されることになる。尚、係止部２９は、各排水孔３１の開口縁から内方へ突出するフランジ状に形成されている。また、３７は、排水路３３の周面と貫通孔３５との隙間を塞ぎ、本体ケース７内への水の浸入を阻止する封止部材であり、３９は、貫通孔３５から後方へ突出する排水路３３を収容するための凹部である。
【００１５】
一方、呼出ボタン１５の上部には、上記軸受部１９にて軸支される軸部４１、４１が上方へ突設されている。また、呼出ボタン１５の後面の略中央には、スイッチをＯＮ／ＯＦＦするための操作突起４３が後方へ突設されている。さらに、呼出ボタン１５の後面の左右両側下部には、矢尻状の係止片４５、４５が後方へ突設されており、呼出ボタン１５の取付状態において係止部２９に係止し、呼出ボタン１５の取付凹部１７内からの脱落を防止可能としている。
【００１６】
また、呼出ボタン１５の後面の左右両側部には、呼出ボタン１５を取付凹部１７内へ取り付けた際に当該呼出ボタン１５を前方（反押し込み方向）へ付勢するとともに押し出し位置で保持するための一対の弾性片２５、２５が設けられている。各弾性片２５は、後方へ切り起こし状に形成された舌片であって、後方へ膨出する舌部２５ａの下端に、更に後方へ突出する突起部２５ｂが設けられてなる。そして、呼出ボタン１５の取付凹部１７内への取付状態において、各弾性片２５は、その舌部２５ａが収容凹部２７内に非接触で収容されるとともに、突起部２５ｂが収容凹部２７下端部に設けられた支持突起２８、２８に当接し支持された状態で、呼出ボタン１５を前方へ付勢するようになっている。そして、図５に示す如く、呼出ボタン１５が押し込み操作されると、舌部２５ａは収容凹部２７内で背面に接触することなく撓み、呼出ボタン１５との連結部から最も離れた位置にある突起部２５ｂを支点として付勢力が作用するようにしている。このように、呼出ボタン１５に働く押し出し方向への付勢力を最大限とし、呼出ボタン１５を確実に押し出し位置へ復帰させるようになっている。
【００１７】
以上のような構成を有するインターホン子機１によれば、呼出ボタン１５を押し出し方向へ付勢するための弾性片２５、２５を本体ケース７側ではなく呼出ボタン１５側に設けているため、弾性片２５を設けるにあたり形成されていた開口が本体ケース７側に開設されない。したがって、従来と比較して本体ケース７に開設される開口の数や面積を低減することができるため、本体ケース７内への水の浸入経路が少なくなり、ひいてはインターホン子機１の防水性を向上することができる。
【００１８】
また、弾性片２５の下端に取付凹部１７内面に接触する突起部２５ｂを設けるとともに、取付凹部１７内に、弾性片２５の舌部２５ａを収容可能な収容凹部２７を設けており、呼出ボタン１５が押し込み操作された際、舌部２５ａが取付凹部１７内面に接触することなく撓み、突起部２５ｂを支点として付勢力が作用するように構成している。したがって、舌部２５ａが取付凹部１７内面に接触する構成と比較して、呼出ボタン１５に働く押し出す方向への付勢力を大きくすることができ、呼出ボタン１５を確実に押し出し位置へ復帰させることができる。
【００１９】
さらに、取付凹部１７の下部で、後方にスイッチ基板や制御基板等の電子基板が存在しない隅部に排水孔３１、３１を開設するとともに、排水孔３１に連続して排水路３３を連設しており、取付凹部１７内へ浸入した水滴を、排水孔３１、及び排水路３３を介して後ケース３の更に後方へ排出可能としている。したがって、取付凹部１７内へ浸入した水滴が本体ケース７内の電子基板に干渉してしまう事態を防止することができ、防水性の更なる向上を図ることができる。また、排水路３３を前ケース５の後面に突設した筒状体とし、前ケース５と後ケース３とを一体化した際、排水路３３が後ケース３に形成された貫通孔３５から後方へ突出するように構成しているため、排水路３３内の空間と本体ケース７内の電子基板の設置空間とを完全に隔離することができ、防水性の一層の向上を図ることができる。
【００２０】
さらにまた、呼出ボタン１５の係止片４５が係止し、呼出ボタン１５の脱落を防止するための係止部２９を上記排水孔３１の開口縁に設けているため、構成の合理化を図ることができ、取付凹部１７内の限られたスペースを効率良く使用することができる。
加えて、取付凹部１７内に、操作窓２１の左右及び上方を囲むような防水リブ２３を設けているため、操作窓２１を介しての水の浸入を確実に防止することができ、防水性の更なる向上を図ることができる。
【００２１】
なお、本発明に係るインターホン機器は、上記実施形態の態様に何ら限定されるものではなく、呼出ボタン１５及び本体ケース７に係る構成を、本発明の趣旨を逸脱しない範囲で、必要に応じて適宜変更することができる。
【００２２】
たとえば、呼出ボタン１５を押し出し位置で保持するための弾性部に係る構成は上記弾性片２５に何ら限定されることはなく、バネや弾性を有するゴム等の弾性部材を呼出ボタン１５側に保持させてなる弾性部としてもよい。
また、上記実施形態では、操作ボタンを有するインターホン機器の一実施形態であるインターホン子機１について説明しているが、本発明はインターホン子機１に何ら限定されることはなく、操作ボタンを有するインターホン機器であれば、インターホン子機１以外のインターホン機器、たとえば応答ボタン（操作ボタン）を有するインターホン親機等であってもよい。
さらに、排水孔３１を開設する位置や形状、大きさは、上記実施形態に何ら限定されることはなく、後方に電子基板が存在しないのであれば、中央寄りに設ける、隅部に沿ったＬ字状の孔とする等適宜変更可能であるし、排水孔３１の数も２つに限定されず、３つ以上又は１つでも何ら問題はない。加えて、係止部２９を形成する位置も、排水孔３１の開口縁に限定されないことは言うまでもない。
【符号の説明】
【００２３】
１・・インターホン子機、３・・後ケース、５・・前ケース、７・・本体ケース、１５・・呼出ボタン、１７・・取付凹部、２３・・防水リブ、２５・・ＩＤ変換テーブル（親機制御手段）、２５・・弾性片（弾性部）、２５ａ・・舌部、２５ｂ・・突起部、２７・・収容凹部、２８・・支持突起、２９・・係止部、３１・・排水孔、３３・・排水路、３５・・貫通孔、４５・・係止片。
【図１】
2010177804.tif 000003
【図２】
2010177804.tif 000004
【図３】
2010177804.tif 000005
【図４】
2010177804.tif 000006
【図５】
2010177804.tif 000007
【図６】
2010177804.tif 000008